(57)【要約】  織物（９）が可変の幅を有するべきである用途でのニードルテープ織機を改良するために、緯糸針（１０，１６）と、緯糸（１４，１５）が緯糸から離れた側で編まれる編み針（１０ｂ，１６ｂ）とを、共通の変位可能な支持体（１０ｃ，１６ｃ）の上に配置することが提案される。このようなニードルテープ織機によって対称な織物（９）を製作できるようにするために、さらに別の改良として、２つの緯糸針（１０，１６）と、それぞれの緯糸（１４，１５）が緯糸から離れた側で編まれる２つの編み針（１０ｂ，１６ｂ）とをそれぞれ共通の変位可能な支持体（１０ｃ，１６ｃ）の上に配置する、２つの側での緯糸挿入が提案される。このとき、支持体（１０ｃ，１６ｃ）が変位するときに互いに妨げとなるのでなく、相上下して配置されていると好ましい。
2019525015.tif 000002
【特許請求の範囲】
【請求項１】
縦糸（４）を少なくとも１つの緯糸（１４，１５）によって相互に織り合わせ可能である織り個所（２０）と、縦糸（４）を供給する装置と、少なくとも１つの緯糸（１４，１５）を供給する装置と、さらに縦糸（４）から織りひ口（８）を構成するためのひ口形成装置と、少なくとも１つの緯糸ループを前記織りひ口（８）へ挿入するための少なくとも１つの緯糸挿入針（１０）と、緯糸ループをおさ打ちするためのおさ（２０）と、少なくとも１つの緯糸（１４，１５）が緯糸から離れた側で編まれる少なくとも１つの編み装置（１０ｂ，１６ｂ）とを有するニードルテープ織機において、
少なくとも１つの前記緯糸針（１０，１６）と少なくとも１つの前記編み装置（１０ｂ，１６ｂ）とが緯糸方向（ｘ）およびこれと反対方向へ変位可能な共通の支持体（１０ｃ，１６ｃ）の上に配置されていることを特徴とするニードルテープ織機。
【請求項２】
前記織りひ口（８）へ２つの緯糸ループを挿入するために緯糸開口へ反対方向で進入可能な２つの緯糸挿入針（１０，１６）と、それぞれ１つの緯糸（１４，１５）を緯糸から離れたそれぞれの側で編むことができる２つの編み装置（１０ｂ，１６ｂ）とが設けられ、それぞれ１つの緯糸挿入針（１０，１６）と１つの編み装置（１０ｂ，１６ｂ）とが緯糸方向（ｘ）およびこれと反対方向へ変位可能なそれぞれ１つの共通の支持体（１０ｃ，１６ｃ）の上に配置されることを特徴とする、請求項１に記載のニードルテープ織機。
【請求項３】
前記両方の支持体（１０ｃ，１６ｃ）およびこれに付属する前記緯糸挿入針（１０，１６）と前記編み装置（１０ｂ，１６ｂ）は、前記支持体（１０ｃ，１６ｃ）がこれに付属する前記緯糸挿入針（１０，１６）と前記編み装置（１０ｂ，１６ｂ）が好ましくは前記支持体（１０ｃ，１６ｃ）の高さ段差によって互いに独立して変位可能であるように配置されることを特徴とする、請求項２に記載のニードルテープ織機。
【請求項４】
前記おさ（２０）は上側領域でそれぞれ下側領域とは異なる間隔をそれぞれのおさ羽（２１）の間に有しており、前記おさ（２０）はさらにその高さに関して可変の幅（９）の織物をおさ打ちするために高さに関して変位可能であることを特徴とする、請求項１から３のいずれか１項に記載のニードルテープ織機。
【請求項５】
前記おさ（２０）は高さに関しても緯糸方向（ｘ）またはこれと反対方向にも変位可能であることを特徴とする、請求項４に記載のニードルテープ織機。
【請求項６】
１つまたは複数の前記支持体（１０ｃ，１６ｃ）を変位させるために電気機械式のアクチュエータを有することを特徴とする、請求項１から５のいずれか１項に記載のニードルテープ織機。
【請求項７】
前記おさを高さに関しても側方へ緯糸方向（ｘ）またはこれと反対方向へも変位させるために電気機械式のアクチュエータを有することを特徴とする、請求項５または６に記載のニードルテープ織機。
【請求項８】
前記電気機械式のアクチュエータを制御するための制御装置を有することを特徴とする、請求項６または７に記載のニードルテープ織機。
【発明の詳細な説明】
【技術分野】
【０００１】
本発明は、請求項１のプレアンブルに基づくニードルテープ織機に関する。
【背景技術】
【０００２】
ニードルテープ織機は、多くの場合に最大で約４０ｃｍの幅を有するテープを織るための役目を果たすものであり、緯糸針によって緯糸を開いた織りひ口に入れる。通常のように、緯糸挿入針の駆動装置が機械式の連結によって織機の主軸と連結されるこのような織機は、特許文献１から公知である。このときテープ織機の緯糸挿入針は、通常、三日月形の運動を行い、この運動は−特許文献１に記載されているように−織機の主軸から導き出される往復する旋回運動に由来する。しかし特定の用途については、このような織機は一定の限界に達する。そのような用途は、変化するテープ幅を有するテープの製造である。すなわち、広い幅から短い幅へ、およびこれと逆への移行時に、このような織機では、当業者にとって不具合として感じられる織り個所が生じる。その原因は、−特に移行領域で−広いテープ幅から短いテープ幅への間で、および短いテープ幅から広いテープ幅への間で、緯糸張力を容易に一定に保つことができないことにある。むしろ、糸切れの危険を伴う高すぎる糸張力（編み針が緯糸を受容する時点における）と、おさが当たったときの低すぎる糸張力とをいずれも回避することが決して保証されない。この問題について図１ａ〜図１ｅを参照しながら以下に説明する。図１ａには、緯糸ヘッドが定置であり、それに対しておさと編み針が所望のテープ幅に応じて変位可能である、公知の種類の緯糸挿入装置が示されている。図１ａは、広いテープの動作モードで緯糸挿入装置を示している。最大のテープ幅が織られ、おさは降下しており、編み針は最大限まで右に位置決めされている。緯糸針は緯糸挿入のとき、緯糸が確実に編み針へ差し込まれる程度まで、編み針を超えて右へと動く。最大の緯糸張力は、おさ打ちのときの緯糸張力よりも若干高い。図１ｂから明らかなように、糸ガイド３における緯糸張力は、０°〜３６０°の織り工程の全段階を通じて０．５Ｎ〜０．１５Ｎの値に保つことができる。この範囲は容認できると考えられ、上側領域では糸切れが起こる恐れがなく、それに対して下側領域では織物におさが当たったとき、緯糸の必要な張りを保証する残留応力が残る。そして織られるべきテープの幅を縮小しようとすると、すなわち、たとえば腕時計ベルト、上着−特に婦人用上着−のストラップ、ズボン吊りなどの場合に意図されるように、織物をさらに細くすると、公知の種類の緯糸挿入装置では図１ｃに示す状態が設定され、または実行される。最小のテープ幅が織られる。おさが最大限まで持ち上げられている。編み針は最大限まで左に位置決めされている。緯糸針は緯糸挿入のとき、編み針をはるかに超えて動く（寸法ｅ）。おさ打ち緯糸張力に対する最大の緯糸張力の比率は、図１ｄから明らかになるとおり不都合である。最大の緯糸張力が上昇しないように緯糸搬送速度が設定されると、おさ打ちのときの緯糸張力が低下する。しかし、おさ打ちのときの緯糸張力が変わらず保たれるように緯糸搬送速度が設定されると、糸切れにつながりかねない値まで最大の緯糸張力が上昇する（図１ｅ）。
【先行技術文献】
【特許文献】
【０００３】
【特許文献１】スイス特許出願公開第６３３３３１Ａ号明細書
【発明の概要】
【発明が解決しようとする課題】
【０００４】
本発明の課題は、広いテープから細いテープへの移行が問題なく可能であり、編み針による編み糸への緯糸挿入の後に緯糸がほどける、織機における織りの不具合個所が回避されるように、ニードルテープ織機における緯糸挿入を構成することにある。
【課題を解決するための手段】
【０００５】
この課題は請求項１に記載のニードルテープ織機によって解決される。このとき本発明の方策がまずもたらす帰結は、おさ打ちでの「標準的な」緯糸搬送速度のときに緯糸張力があまりに大きく低下することがなく、考えられる対応策すなわち緯糸搬送速度の低減の欠点、つまり最大の緯糸張力が糸切れが起こり得る範囲に達することもない。
【０００６】
織りひ口へ２つの緯糸ループを挿入するために緯糸開口へ反対方向で進入可能な２つの緯糸挿入針と、それぞれ１つの緯糸が緯糸から離れたそれぞれの側で編まれる２つの編み装置とが設けられる本発明の方策が特別に好ましい。これとの関連において「緯糸ループ」とは、挿入側から編み装置まで、さらにそこから戻るように縦糸に組み込まれる緯糸の区域が意味される。このときそれぞれ１つの緯糸挿入針と編み装置とが、緯糸方向へ、およびこれと反対方向に変位可能なそれぞれ１つの共通の支持体の上に配置される。その際に変位可能性の範囲全体を活用できるようにするために、両方の支持体がそれぞれ付属の緯糸挿入針および編み装置とともに、支持体がそれぞれ付属の緯糸挿入針および編み装置とともに好ましくは支持体の高さ段差によって互いに独立して変位可能であるように配置されていると好ましい。
【０００７】
原則として、おさは上側領域でそれぞれ下側領域とは異なる間隔をそれぞれのおさ羽の間に有しており、さらにはその高さに関して可変の幅の織物をおさ打ちするために高さに関して変位可能であってよい。テープ幅を非対称に変化させるために、おさが緯糸方向へ、またはこれと反対方向へも変位可能であると好ましい。さらに、おさがその高さに関して変位可能であるとともに、織物をおさ打ちするために緯糸方向を向く軸を中心として旋回可能である場合、おさの高さが変位するときに相違するおさ打ち角を補償するために、この軸が縦糸方向へ、またはこれと反対方向へ変位可能であると好ましい場合があり得る。
【０００８】
このニードルテープ織機は、高さに関してだけでなく緯糸方向またはこれと反対方向へも１つまたは複数の支持体を変位させるための、およびおさを変位させるための電気機械式のアクチュエータを有するのが好ましい。そのためにニードルテープ織機は、上記の電気機械式のアクチュエータを制御するための制御装置も有するのが好ましい。この制御は自由にプログラミング可能であってよく、それにより、動作モードに関して制約が必要になることがない。
【０００９】
上記の、ならびに特許請求の範囲の、および以下に述べる実施例に記載されている、本発明に基づいて適用されるべき各部材は、それぞれのサイズ、形状構成、材料使用、および技術的コンセプトに関して特別な例外的条件が課されることがなく、それにより、それぞれの適用分野で知られている選択基準を制限なしに適用することができる。
【００１０】
本発明のその他の具体的事項、利点、および構成要件は、本発明によるニードルテープ織機またはその緯糸挿入装置が−一例として−説明される、付属の図面についての以下の説明から明らかとなる。図面には次のものが示されている。
【図面の簡単な説明】
【００１１】
【図１】図１ａは、緯糸ヘッドが定置であり、それに対しておさと編み針は所望のテープ幅に応じて変位可能である公知の種類の緯糸挿入装置を、広いテープの動作モードで示す図である。図１ｂは、図１ａの緯糸の張力状況である。図１ｃは、図１ａの公知の種類の緯糸挿入装置を細いテープの動作モードで示す図である。図１ｄは、維持される緯糸搬送速度のときの図１ｃの緯糸の張力状況である。図１ｅは、低減された緯糸搬送速度のときの図１ｃの緯糸の張力状況である。
【図２】左から緯糸挿入がなされる本発明の１つの実施例に基づく緯糸挿入装置を示す３Ｄ図である。
【図２ａ】図２の緯糸挿入を示す図である。
【図３】右から緯糸挿入がなされる本発明の１つの実施例に基づく緯糸挿入装置を示す３Ｄ図である。
【図３ａ】図３の緯糸挿入を示す図である。
【図４】図４ａは、緯糸ヘッドが編み針と連結され、おさが所望のテープ幅に応じて変位可能である図２の緯糸挿入装置を広いテープの動作モードで示す図である。図４ｂは、図４ａの緯糸の張力状況である。図４ｃは、図４ａの公知の種類の緯糸挿入装置を、幅がより細いテープの動作モードで示す図である。図４ｄは、維持される緯糸搬送速度のときの図４ｃの緯糸の張力状況である。図４ｅは、低減された緯糸搬送速度のときの図４ｃの緯糸の張力状況である。
【図５】テープが広くなるときの、左と右から二重の側で緯糸挿入がなされる１つの実施例に基づく緯糸挿入装置を示す３Ｄ図である。
【図６】テープが細くなるときの、左と右から二重の側で緯糸挿入がなされる１つの実施例に基づく緯糸挿入装置を示す３Ｄ図である。
【図７】図７ａは、図５および図６の実施例に基づく高さ段差を前から見た図である。図７ｂは、図５、図６および図７ａの実施例に基づく高さ段差を上から見た図である。
【図８】図８ａは、図５、図６、図７ａおよび図７ｂの実施例に基づく支持体・おさ位置を示す、対称のテープ幅バリエーションにおける広いテープのときの図である。図８ｂは、図５、図６、図７ａおよび図７ｂの実施例に基づく支持体・おさ位置を示す、対称のテープ幅バリエーションにおける細いテープのときの図である。
【図９】図９ａは、図５、図６、図７ａおよび図７ｂの実施例に基づく支持体・おさ位置を示す、非対称のテープ幅バリエーションにおける広いテープのときの図である。図９ｂは、図５、図６、図７ａおよび図７ｂの実施例に基づく支持体・おさ位置を示す、非対称のテープ幅バリエーションにおける細いテープのときの図である。
【発明を実施するための形態】
【００１２】
図２および図３には、本発明の単純な実施形態が主要な部材によって図示されている。図２では、緯糸挿入針１０による左からの緯糸挿入が意図されており、緯糸挿入針１０、および緯糸１４が緯糸挿入後にメッシュ化される（第１の）編み針１０ｂが、緯糸挿入方向ｘおよびこれと反対方向へ変位可能な共通の支持体１０ｃに配置されており、緯糸挿入針１０は歯付きベルト駆動装置３４によって回転アクチュエータ３０により駆動される。強調しておくと、織機の主軸を介しての駆動も同じように可能であり、事実上等価である。図２ａには、緯糸挿入の手順が上から模式的に示されている。緯糸挿入針１０の軸１１およびその回転支持部と、付属の編み針１０ｂおよびその直線支持部とが、ヨーク３２によって固定的に相互に連結されている。追加の駆動装置が編み針１０ｂをｙ方向（縦糸方向）へ往復運動させ、それにより緯糸を引き取って前回の緯糸とともにメッシュ化する。この追加の駆動装置またはメッシュ化工程はここには示していない。図２ａには、緯糸挿入針１０が織りひ口８から外に出て、おさ２０が織物９の緯糸に当たり、編み針１０ｂがおさ打ち点の前に引き出される、おさ２０のおさ打ちの時点が示されている。
【００１３】
図３は、右からの緯糸挿入のための相応の緯糸挿入装置を示している。緯糸挿入針１６、および緯糸１５が緯糸挿入後にメッシュ化される（第１の）編み針１６ｂが、緯糸挿入方向ｘおよびこれと反対方向へ変位可能な共通の支持体１６ｃに配置されており、緯糸挿入針１６はやはり歯付きベルト駆動装置３４によって回転アクチュエータ３１により回転軸１３を中心として駆動される。図３ａには、緯糸挿入の手順が上から模式的に示されている。左からの緯糸挿入に比べて、ここでは連結ヨーク３３が鏡像反転されて配置されている。図３ａには、緯糸挿入針１６が織りひ口８を通り抜けて、おさ２０が戻るように動き、編み針１６ｂが緯糸１５を引き取る目的のために繰り出される、全開口の時点が示されている。
【００１４】
図４ａ〜図４ｅには、織り段階（０〜３６０°）にわたっての緯糸の張力状況によって、図１ａ〜図１ｅに準じて、またはこれらと対比して、織り工程が説明されている。図４ａでは−ここでは左からの緯糸挿入がなされる−、最大のテープ幅が織られる場合が示されている。おさ２０が降下している。編み針１０ｂは最大限右に位置決めされ、緯糸軸は一定の寸法ａでその左に配置される。これとは異なり図４ｃでは、最小のテープ幅が織られる。おさ２０は最大限持ち上げられる。編み針１０ｂは最大限左に位置決めされ、緯糸針軸は一定の間隔ａをもって位置決めされる。緯糸が緯糸針によってさらに左へ引っ張られるので、おさ打ちのときの緯糸張力が上昇する。区間Ａ−Ｄに対する区間合計Ａ−Ｂ−Ｄの比率が大きくなっている。緯糸搬送速度の低減によって、最大の緯糸張力を上昇させることなく、おさ打ちのときの緯糸張力を広いテープの場合と同じ値まで再び調整することができる。
【００１５】
図５〜図９ｂには、左と右から二重の側の緯糸挿入がなされる第２の実施例が記載されている。図５は、テープ（織物９）が広くなるときの装置を示す。おさ２０が降下し、緯糸ヘッドが一緒に移動する。図６には、テープが細くなるときが相応に示されている。おさ２０が持ち上げられ、緯糸ヘッドが離れるように動く。それ以外の点では、この装置は事実上、図２と図３に示す装置の組み合わせである。ただし、両方の装置部分が相互に妨げ合わないように留意しなければならない。そのための解決法が図７ａおよび図７ｂに示されており、すなわち、相応の装置部分が妨げ合う可能性がある場合における高さ段差が示されている。
【００１６】
右と左から緯糸挿入が行われるべきである場合、連結ヨーク３２および３３は、これらと連結されるコンポーネント−編み針１０ｂおよび１６ｂ、緯糸針１０および１６、駆動モータ３０および３１−を含めて、高さに関して段差をつけて配置されなければならない。さらに、緯糸針／緯糸レバーが旋回運動を妨げられずに行えるようにするために、これらが十分にスペースを残さなければならない。緯糸軸の駆動は、たとえば、同じくサーボモータ３０および３１から、その回転運動を、それぞれ緯糸軸のピニオンに伝達する歯付きベルトによって行われる。前述の実施例では、対称および非対称の両方のテープ幅バリエーションを設定することができ、その様子は図８ａ、図８ｂ（対称のテープ幅バリエーション）および図９ａ、図９ｂ（非対称のテープ幅バリエーション）を用いて説明されている。
【００１７】
図８ａでは、おさが一番下のｚ位置にあり、それにより、おさ打ち点において縦糸が最大に拡張され、したがってテープ幅が最大になる。それぞれ付属の編み針を有する両方の織りヘッドはｘ方向で、テープ幅が最大となるように位置決めされる。図８ｂでは、おさが一番上のｚ位置にあり、それにより、おさ打ち点において、縦糸４が最小に拡張され、したがって、テープ幅が最小となる。それぞれ付属の編み針１０ｂおよび１６ｂを有する両方の編みヘッドは、ｘ方向で等しい距離だけ互いに離れるように移動しており、それによりテープ幅が最小になる。
【００１８】
図９ｂでは、おさが初期位置に対して一番上のｚ位置だけでなく左方に向かっても変位している。それに伴い、左側のテープ縁は同じ個所にとどまるが、右側は寸法ｆだけｘ方向へ変位している。右からの緯糸挿入のための織りヘッドは、これに付属する編み針１６ｂとともに図９ａと同じ個所にとどまっており、左からの緯糸挿入のための織りヘッドは、これに付属する編み針１６ｂとともに寸法ｆだけｘ方向へ移動している。
【符号の説明】
【００１９】
３  糸ガイド
４  縦糸
８  織りひ口
９  可変の幅を有する織物
１０  左からの緯糸挿入のための緯糸挿入針
１０ｂ  左からの緯糸挿入のための編み針
１０ｃ  左からの緯糸挿入のための緯糸挿入針と編み針のための支持体
１１  左からの緯糸挿入のための緯糸挿入針の軸
１３  右からの緯糸挿入のための緯糸挿入針の軸
１４  左からの緯糸挿入のための緯糸
１４ａ  左からの緯糸挿入のための緯糸ガイド
１５  右からの緯糸挿入のための緯糸
１５ａ  右からの緯糸挿入のための緯糸ガイド
１６  右からの緯糸挿入のための緯糸挿入針
１６ｂ  右からの緯糸挿入のための編み針
１６ｃ  右からの緯糸挿入のための緯糸挿入針と編み針のための支持体
２０  おさ
２１  おさ羽
３０  左からの緯糸挿入のための回転アクチュエータ
３１  右からの緯糸挿入のための回転アクチュエータ
３３  左からの緯糸挿入のための連結ヨーク
３２  右からの緯糸挿入のための連結ヨーク
３４  歯付きベルト駆動装置
ｘ  緯糸方向
ｙ  縦糸方向
ｚ  織物に対して垂直の方向
【図１】
2019525015.tif 000003
【図２】
2019525015.tif 000004
【図２ａ】
2019525015.tif 000005
【図３】
2019525015.tif 000006
【図３ａ】
2019525015.tif 000007
【図４】
2019525015.tif 000008
【図５】
2019525015.tif 000009
【図６】
2019525015.tif 000010
【図７】
2019525015.tif 000011
【図８】
2019525015.tif 000012
【図９】
2019525015.tif 000013
【国際調査報告】
2019525015.tif 000014
2019525015.tif 000015
2019525015.tif 000016
2019525015.tif 000017